(57)【要約】  本発明は、焦点精度を高めることができるポータブルスキャナ、及びそれを利用したスキャニング方法に関し、本発明の一実施形態に係るポータブルスキャナは、被写体から３次元イメージを生成するポータブルスキャナであって、被写体との設定された焦点距離に対する現在の焦点状態を判断し、使用者が認識できるように出力する焦点状態出力部を含む。
2020513538.tif 000002
【特許請求の範囲】
【請求項１】
被写体から３次元イメージを生成するポータブルスキャナであって、
被写体との設定された焦点距離に対する現在の焦点状態を判断し、使用者が認識できるように出力する焦点状態出力部を含んでなり、
前記焦点状態出力部は、
前記被写体の表面に対して所定の角度で斜めに焦点用光線を照射する第１発光部と、
前記被写体に照射された焦点用光線の位置を感知する感知部と、
前記被写体の関心領域で感知された焦点用光線の位置に従って設定された焦点距離に対する焦点状態を判断する焦点状態判断部と、
判断された焦点状態を使用者が認識できるよう、前記被写体に可視光線で出力し、かつ、予め設定された文字、記号、または互いに異なる色相の中で少なくとも一つの形態で前記焦点状態を出力する第２発光部と
を備えるポータブルスキャナ。
【請求項２】
前記焦点状態判断部は、
前記被写体との距離が設定された焦点距離より短い場合に第１焦点状態と判断し、前記被写体との距離が設定された焦点距離と同じ場合に第２焦点状態と判断し、前記被写体との距離が設定された焦点距離より長い場合に第３焦点状態と判断する、請求項１に記載のポータブルスキャナ。
【請求項３】
前記焦点状態判断部は、
前記被写体との距離が設定された焦点距離と異なる場合に第１焦点状態と判断し、前記被写体との距離が設定された焦点距離と同じ場合に第２焦点状態と判断する、請求項１に記載のポータブルスキャナ。
【請求項４】
前記被写体に設定されたパターン光を照射する第３発光部と、
前記パターン光が照射された被写体を撮影する撮影部と、
前記被写体に対して互いに異なる方向で撮影された複数の２次元イメージデータを利用し、前記被写体の３次元イメージデータを生成する制御部と
をさらに含む、請求項１に記載のポータブルスキャナ。
【請求項５】
前記撮影部によって撮影されるイメージデータを表示する表示部をさらに含む、請求項４に記載のポータブルスキャナ。
【請求項６】
前記制御部は、前記撮影部によって撮影されるイメージデータとともに前記焦点状態を表示部に表示するように制御する、請求項５に記載のポータブルスキャナ。
【請求項７】
前記ポータブルスキャナのボディに着脱可能に結合され、前記ポータブルスキャナのボディを一定の高さで固定させる支持台をさらに含む、請求項１に記載のポータブルスキャナ。
【請求項８】
前記支持台は、結合されたポータブルスキャナのボディが上下左右に回転できるようにする回転部を備える、請求項７に記載のポータブルスキャナ。
【請求項９】
前記被写体は、かつらの製作のために設定されたパターンが形成され、使用者の頭に被せることができるヘッド網である、請求項１に記載のポータブルスキャナ。
【請求項１０】
前記第１発光部から照射される角度、及び前記感知部で感知する角度は、設定された焦点距離によって調整される、請求項１に記載のポータブルスキャナ。
【請求項１１】
被写体の表面に対して所定の角度で斜めに焦点用光線を照射する第１発光部と、
前記被写体に照射された焦点用光線の位置を感知する感知部と、
前記被写体の関心領域で感知された焦点用光線の位置に従って設定された焦点距離に対する焦点状態を判断する焦点状態判断部と、
前記被写体に設定されたパターン光を照射する第３発光部と、
前記パターン光が照射された被写体を撮影する撮影部と、
前記撮影部によって撮影されるイメージデータを表示する表示部と、
前記被写体に対して互いに異なる方向で撮影された複数の２次元イメージデータを利用し、前記被写体の３次元イメージデータを生成し、かつ、前記撮影部によって撮影されるイメージデータとともに前記焦点状態を表示部に表示するように制御する制御部と
を含むポータブルスキャナ。
【請求項１２】
前記制御部は、予め設定された文字、記号、または互いに異なる色相の中で少なくとも一つの形態で前記焦点状態を表示部に表示するように制御する、請求項１１に記載のポータブルスキャナ。
【請求項１３】
被写体との設定された焦点距離に対する現在の焦点状態を判断し、使用者が認識できるように表示部及び前記被写体のうち少なくとも一つに出力するステップと、
前記設定された焦点距離で前記被写体に対して設定されたパターン光を順次照射しながら、前記パターン光が照射された被写体を撮影するステップと、
被写体に対して互いに異なる方向で前記撮影するステップを繰り返すことによって撮影された複数の２次元イメージデータを利用し、前記被写体の３次元イメージデータを生成するステップと
を含むスキャニング方法。
【請求項１４】
前記出力するステップは、
前記被写体の表面に対して所定の角度で斜めに焦点用光線を照射するステップと、
前記被写体に照射された焦点用光線の位置を感知するステップと、
前記被写体の関心領域で感知された焦点用光線の位置に従って設定された焦点距離に対する焦点状態を判断するステップと
を含む、請求項１３に記載のスキャニング方法。
【請求項１５】
前記出力するステップは、
判断された焦点状態を使用者が認識できるよう、前記被写体に可視光線で出力するステップをさらに含む、請求項１４に記載のスキャニング方法。
【発明の詳細な説明】
【技術分野】
【０００１】
本発明は、焦点精度を高めることができるポータブルスキャナ、及びそれを利用したスキャニング方法に関する。
【背景技術】
【０００２】
３Ｄスキャナは、被写体にパターン光を照射し、パターン光が照射された被写体の２次元イメージを撮影して３次元イメージを生成する装置であって、多様な分野に応用、適用されて開発されている。
このような３Ｄスキャナは、被写体との距離が一定に維持されなければならないので、固定式に製作されていた。
これに伴い、従来の３Ｄスキャナは、体積が大きくて携帯が不便であるという問題点があった。
一方、携帯用に３Ｄスキャナを製作する場合、スキャニングの際に被写体から一定に焦点を維持することができないため、精度が低くなるという問題点があった。
【発明の概要】
【発明が解決しようとする課題】
【０００３】
本発明は、前記のような問題点を勘案してなされたものであって、被写体を設定された焦点距離で一定にスキャニングすることができるポータブルスキャナ、及びそれを利用したスキャニング方法を提供することに目的がある。
【課題を解決するための手段】
【０００４】
前記のような技術的課題を解決するため、本発明の一実施形態に係るポータブルスキャナは、被写体から３次元イメージを生成するポータブルスキャナであって、被写体との設定された焦点距離に対する現在の焦点状態を判断し、使用者が認識できるように出力する焦点状態出力部を含む。
焦点状態出力部は、前記被写体の表面に対して所定の角度で斜めに焦点用光線を照射する第１発光部と、前記被写体に照射された焦点用光線の位置を感知する感知部と、前記被写体の関心領域で感知された焦点用光線の位置に従って設定された焦点距離に対する焦点状態を判断する焦点状態判断部とを含むことができる。
【０００５】
焦点状態判断部は、前記被写体との距離が設定された焦点距離より短い場合に第１焦点状態と判断し、前記被写体との距離が設定された焦点距離と同じ場合に第２焦点状態と判断し、前記被写体との距離が設定された焦点距離より長い場合に第３焦点状態と判断することができる。
もしくは、焦点状態判断部は、前記被写体との距離が設定された焦点距離と異なる場合に第１焦点状態と判断し、前記被写体との距離が設定された焦点距離と同じ場合に第２焦点状態と判断することができる。
【０００６】
焦点状態出力部は、判断された焦点状態を使用者が認識できるよう、前記被写体に可視光線で出力する第２発光部をさらに含むことができる。
第２発光部は、予め設定された文字、記号、または互いに異なる色相の中で少なくとも一つの形態で焦点状態を出力することができる。
ここで、第１発光部から照射される角度、及び感知部で感知する角度は、設定された焦点距離によって調整されてよい。
【０００７】
本発明の一実施形態に係るポータブルスキャナは、前記被写体に設定されたパターン光を照射する第３発光部と、前記パターン光が照射された被写体を撮影する撮影部と、前記被写体に対して互いに異なる方向で撮影された複数の２次元イメージデータを利用し、前記被写体の３次元イメージデータを生成する制御部とをさらに含むことができる。
本発明の一実施形態に係るポータブルスキャナは、撮影部によって撮影されるイメージデータを表示する表示部をさらに含むことができる。
前記制御部は、前記撮影部によって撮影されるイメージデータとともに前記焦点状態を表示部に表示するように制御することができ、予め設定された文字、記号、または互いに異なる色相の中で少なくとも一つの形態で前記焦点状態を表示部に表示するように制御することもできる。
【０００８】
本発明の一実施形態に係るポータブルスキャナは、前記ポータブルスキャナのボディに着脱可能に結合され、前記ポータブルスキャナを一定の高さで固定させる支持台をさらに含むことができる。支持台は、結合されたポータブルスキャナのボディが上下左右に回転できるようにする回転部を備えることができる。
例えば、被写体は、かつらの製作のために設定されたパターンが形成され、使用者の頭に被せることができるヘッド網であってよい。
【０００９】
一方、本発明の他の実施形態に係るスキャニング方法は、被写体との設定された焦点距離に対する現在の焦点状態を判断し、使用者が認識できるように表示部に出力するステップと、前記設定された焦点距離で被写体に対して設定されたパターン光を順次照射しながら、パターン光が照射された被写体を撮影するステップと、被写体に対して互いに異なる方向で前記撮影するステップを繰り返すことによって撮影された複数の２次元イメージデータを利用し、前記被写体の３次元イメージデータを生成するステップとを含む。
前記出力するステップは、前記被写体の表面に対して所定の角度で斜めに焦点用光線を照射するステップと、前記被写体に照射された焦点用光線の位置を感知するステップと、前記被写体の関心領域で感知された焦点用光線の位置に従って設定された焦点距離に対する焦点状態を判断するステップとを含むことができる。
また、前記出力するステップは、判断された焦点状態を使用者が認識できるよう、前記被写体に可視光線で出力するステップをさらに含むことができる。
【発明の効果】
【００１０】
本発明によれば、焦点状態を表示して被写体を設定された焦点距離で一定にスキャニングすることができるので、高い精度を維持することができる。
また、スキャナのボディと支持台が分離できるように製作するため、携帯が容易であるという利点がある。
より具体的な本発明の効果は、実施形態を通じて以下で具体的に説明する。
【図面の簡単な説明】
【００１１】
【図１】本発明の一実施形態に係るポータブルスキャナを示すブロック図である。
【図２】焦点状態を判断する原理を説明するための概念図である。
【図３】図２に示した第１発光部によって照射された光線を示す例示図である。
【図４】図２に示した感知部によって感知された光線の位置を示す例示図であって、（ａ）は、被写体との距離が設定された焦点距離より短い場合の光線の位置を示し、（ｂ）は、被写体との距離が設定された焦点距離と同じ場合の光線の位置を示し、（ｃ）は、被写体との距離が設定された焦点距離より長い場合の光線の位置を示す。
【図５】本発明の一実施形態に係る３Ｄスキャニング方法を示すフローチャートである。
【図６】焦点状態出力部によって焦点状態を判断する過程を説明するためのフローチャートである。
【図７】ポータブルスキャナのボディと支持台を示す例示図である。
【図８】ポータブルスキャナが、設定された焦点距離で被写体を撮影した例を示す図である。
【図９】ポータブルスキャナが、設定された焦点距離より短い距離で被写体を撮影した例を示す図である。
【図１０】ポータブルスキャナが、設定された焦点距離より長い距離で被写体を撮影した例を示す図である。
【発明を実施するための形態】
【００１２】
本発明は、多様な変換を加えることができ、幾多の実施形態を有することができるので、特定の実施形態を図に例示し、詳細な説明に詳細に説明する。しかし、これは本発明を特定の実施形態に対して限定しようとするものではなく、本発明の思想及び技術の範囲に含まれる全ての変換、均等物ないし代替物を含むものとして理解されなければならない。本発明の説明において、関連する公知の技術に対する具体的な説明が、本発明の要旨を不明にし得ると判断される場合、その詳細な説明を省略する。
【００１３】
本出願で用いた用語は、ただ特定の実施形態を説明するために用いられたものであって、本発明を限定しようとする意図ではない。単数の表現は、文脈上明らかに異なる意味を有しない限り、複数の表現を含む。本出願で、『含む』または『有する』などの用語は、明細書上に記載されている特徴、数字、ステップ、動作、構成要素、部品、または、これらを組み合わせたものが存在することを指定しようとするものであって、一つまたはそれ以上の他の特徴や、数字、ステップ、動作、構成要素、部品、または、これらを組み合わせたものの存在または付加の可能性を予め排除しないものとして理解されなければならない。
【００１４】
以下、図面を参照しつつ、本発明に係る実施形態を詳しく説明する。図面を参照して説明するに際して、同一であるか対応する構成要素には同一の図面番号を与え、これに対する重複される説明は省略する。
図１は、本発明の一実施形態に係るポータブルスキャナを示すブロック図である。
図１に示されている通り、本発明に係るポータブルスキャナは、被写体から３次元イメージを生成する装置であって、焦点状態出力部１０、第３発光部２０、撮影部３０、制御部４０及び表示部５０を含むことができる。
【００１５】
先ず、焦点状態出力部１０は、被写体との設定された焦点距離（または、焦点距離範囲）に対する現在の焦点状態を判断し、使用者が認識できるように出力する構成である。
焦点状態出力部１０は、第１発光部１１、感知部１３、焦点状態判断部１５を含むことができる。第１発光部１１は、被写体の表面に対して所定の角度で斜めに焦点用光線を照射する。感知部１３は、被写体に照射された焦点用光線の位置を感知する。焦点状態判断部１５は、被写体の関心領域で感知された焦点用光線の位置に従って設定された焦点距離に対する焦点状態を判断する。
例えば、焦点状態判断部１５は、被写体との距離が設定された焦点距離より短い場合に第１焦点状態（すなわち、Ｓｈｏｒｔ状態）と判断し、被写体との距離が設定された焦点距離と同じ場合に第２焦点状態（すなわち、正常なＦｏｃｕｓ状態）と判断し、被写体との距離が設定された焦点距離より長い場合に第３焦点状態（すなわち、Ｌｏｎｇ状態）と判断することができる。
【００１６】
図２〜図４を利用して、本発明の一実施形態に係る焦点状態出力部１０が焦点状態を判断する原理を説明する。図２は、焦点状態を判断する原理を説明するための概念図である。図３は、図２の第１発光部によって照射された光線を示す例示図である。図４は、図２の感知部によって感知された光線の位置を示す例示図であって、（ａ）は、被写体との距離が設定された焦点距離より短い場合の光線の位置を示し、（ｂ）は、被写体との距離が設定された焦点距離と同じ場合の光線の位置を示し、（ｃ）は、被写体との距離が設定された焦点距離より長い場合の光線の位置を示す。
【００１７】
先ず、図２に示す通り、焦点状態出力部１０の第１発光部１０が、被写体の表面に対して所定の角度で斜めに焦点用光線Ｌを照射する。これにより、第１発光部１０と被写体の距離に従って被写体に照射される光線の位置が変わるようになる。ここで、第１発光部１１と感知部１３の姿勢（または角度）は、ポータブルスキャナで設定した焦点距離によって予め調節されてよい。
例えば、図２の（ａ）に示す通り、被写体の表面が設定された焦点距離より短い距離に位置した場合、焦点用光線は、設定された焦点距離に位置した場合より右側であるＡ部分に照射される。
また、図２の（ｂ）に示す通り、被写体の表面が設定された焦点距離に位置した場合、焦点用光線は設定されたＢ部分に照射される。
また、図２の（ｃ）に示す通り、被写体の表面が設定された焦点距離より遠い距離に位置した場合、焦点用光線は、設定された焦点距離に位置した場合より左側であるＣ部分に照射される。
【００１８】
ここで、焦点用光線は、図３に示す通り、撮影しようとする領域（すなわち、表示領域）に対して垂直のレッドラインの形態で被写体に照射されてよい。
一方、感知部１３は、被写体に照射された焦点用光線の位置を感知する。このとき、感知されるレッドラインは、図４に示す通り、焦点距離に従って水平位置が変わる。
例えば、図４の（ａ）に示す通り、被写体との距離が設定された焦点距離より短い場合、感知されたレッドライン（すなわち、焦点用光線）の位置は、位置判断領域で設定された焦点距離の部分より左側（Ｓｈｏｒｔ方向）に位置するようになる。また、被写体との距離が短くなるほど、感知されるレッドラインは左側に移動するようになる。
また、図４の（ｂ）に示す通り、被写体との距離が設定された焦点距離と同じ場合、感知されたレッドライン（すなわち、焦点用光線）の位置は、位置判断領域で設定された焦点距離の部分に位置するようになる。
また、図４の（ｃ）に示す通り、被写体との距離が設定された焦点距離より長い場合、感知されたレッドラインの位置は、位置判断領域で設定された焦点距離の部分より右側（Ｌｏｎｇ方向）に位置するようになる。また、被写体との距離が遠くなるほど、感知されるレッドラインは右側に移動するようになる。
【００１９】
本実施形態では、被写体との距離が設定された焦点距離より短ければ、レッドラインが左側に移動し、被写体との距離が設定された焦点距離より長ければ、レッドラインが右側に移動するものと説明されたが、これに限定されるものではなく、第１発光部１１と感知部１３の位置に従って左右方向が変更され得ることが分かるはずである。
このように、焦点状態判断部１５は、被写体との距離に従って焦点状態を判断することができる。例えば、第１発光部１１は、スキャナのプロジェクターに含まれる構成であってよく、感知部１３は、スキャナのカメラに含まれる構成であってよい。
もしくは、他の例として、焦点状態判断部１５は、被写体との距離に従って設定された焦点状態であるか否かだけを判断することもできる。例えば、被写体との距離が設定された焦点距離と異なる場合に第１焦点状態と判断し、被写体との距離が設定された焦点距離と同じ場合に第２焦点状態と判断することができる。
【００２０】
また、焦点状態出力部１０は、第２発光部１７をさらに含むことができる。第２発光部１７は、焦点状態判断部１５で判断された焦点状態を使用者が認識できるよう、被写体に可視光線で出力する。
一例として、第２発光部１７は、予め設定された文字、記号、または互いに異なる色相の中で少なくとも一つの形態で焦点状態を出力することができる。例えば、被写体との距離が設定された焦点距離より短い場合、『ＳＨＯＲＴ』文字を出力し、被写体との距離が設定された焦点距離と同じ場合、『ＦＯＣＵＳ』文字を出力し、被写体との距離が設定された焦点距離より長い場合、『ＬＯＮＧ』文字を出力することができる。もしくは、被写体との距離が設定された焦点距離より短い場合、赤色（Ｒ）の『ＳＨＯＲＴ』文字を出力し、被写体との距離が設定された焦点距離と同じ場合、緑色（Ｇ）の『ＦＯＣＵＳ』文字を出力し、被写体との距離が設定された焦点距離より長い場合、青色（Ｂ）の『ＬＯＮＧ』文字を出力することができる。
また他の例として、被写体との距離が設定された焦点距離と異なる場合、『×』記号を出力し、被写体との距離が設定された焦点距離と同じ場合、『○』記号を出力することができる。
【００２１】
これに従い、焦点状態出力部１０によって焦点状態を表示し、設定された焦点距離で一定に被写体をスキャニングすることができるので、高い精度を維持することができる。特に、複数の２次元イメージデータを合成して一つの３次元イメージデータを生成するスキャナの場合、２次元イメージデータを一定の焦点距離で獲得することができるので、より効果的である。
【００２２】
また他の実施形態として、焦点状態出力部１０は、他の構成及び他の焦点状態判断の原理を通じて焦点状態を判断することもできる。例えば、ＴＯＦ（Ｔｉｍｅ  ｏｆ  Ｆｌｉｇｈｔ）技法を利用して焦点距離を確認し、焦点状態を判断することができる。一例として、焦点状態出力部１０は、近赤外線、超音波、レーザなどの設定された信号を発生させて被写体に出力する信号発生部と、前記被写体から反射して来る信号を感知する感知部と、感知信号の受信時間を利用して設定された焦点距離に対する焦点状態を判断する焦点状態判断部とを備えることができる。
【００２３】
次に、再度図１を参考にして、ポータブルスキャナの他の構成を説明する。
第３発光部２０は、被写体の３次元イメージを生成するため、被写体に対してＮ個の設定されたパターン光（例えば、構造化された光線パターン：Ｓｔｒｕｃｔｕｒｅｄ  Ｌｉｇｈｔ  Ｐａｔｔｅｒｎ）を順次照射する構成である。第３発光部２０は、一般にポータブルスキャナのプロジェクターになる構成である。
撮影部３０は、パターン光が照射された被写体を撮影する構成である。撮影部３０は、一般にポータブルスキャナのカメラになる構成である。
制御部４０は、焦点状態出力部１０、第３発光部２０、撮影部３０及び表示部５０を制御する構成であって、被写体に対して互いに異なる方向（例えば、被写体の前後左右の方向）で撮影された複数の２次元イメージデータを利用することで、被写体の３次元イメージデータを生成する処理部である。ここで、第３発光部２０、撮影部３０及び制御部４０を利用して被写体の３次元イメージデータを生成することは公知の技術なので、詳しい説明を省略する。
また、表示部５０は、撮影部によって撮影される２次元イメージデータを表示する構成である。例えば、表示部５０は、タッチパネルなどで具現されてよい。
ここで、制御部４０は、撮影部３０によって撮影される２次元イメージデータとともに焦点状態を表示部５０に表示するように制御することができる。また、図示してはいないが、本発明に係るポータブルスキャナは、使用者の操作信号を入力することができる入力部をさらに含むことができる。
【００２４】
次に、図８〜図１０を利用して、表示部を通じて被写体のイメージデータとともに焦点状態が表示された例を説明する。図８は、ポータブルスキャナが、設定された焦点距離で被写体を撮影した例を示す図である。図９は、ポータブルスキャナが、設定された焦点距離より短い距離で被写体を撮影した例を示す図である。図１０は、ポータブルスキャナが、設定された焦点距離より長い距離で被写体を撮影した例を示す図である。
【００２５】
先ず、図８に示す通り、ポータブルスキャナが設定された焦点距離で被写体を撮影した場合、表示部は、表示領域Ｓ内に被写体のイメージを表示する。このとき、被写体に照射された焦点用光線Ｌは、表示領域Ｓの中で設定された関心領域（ｒｅｇｉｏｎ  ｏｆ  ｉｎｔｅｒｅｓｔ、すなわち、位置判断領域）（図示省略）内の設定された焦点距離の基準線Ｒと位置が一致するかほぼ近似するようになる。ここで、表示領域Ｓは、使用者が被写体をカメラの中心部分に位置させるように誘導するための参考になる表示領域である。一方、表示部は、図８の右側の上段部に表示されている数値「１５６」及び色相ブロック（緑色の□）のように、焦点状態判断部によって判断された現在の焦点状態を数値で表示することもでき、また、現在の焦点状態を色相ブロック（例えば、正常な焦点状態を表す緑色）で表示することもできる。さらに、被写体に表示されている『ＦＯＣＵＳ』記号のように、第２発光部１７を通じて現在の焦点状態を可視光線で出力することもできる。
【００２６】
図９に示す通り、ポータブルスキャナが、設定された焦点距離より短い距離で被写体を撮影した場合、被写体に照射された焦点用光線Ｌは、表示領域Ｓの中で設定された関心領域（すなわち、位置判断領域）（図示省略）内の設定された焦点距離の基準線Ｒより左側に位置するようになる。同様に、表示部は、図９の右側の上段部に表示されている数値「１７４」及び色相ブロック（赤色の□）のように、焦点状態判断部によって判断された現在の焦点状態を数値で表示することができ、また、現在の焦点状態を色相ブロック（例えば、短い焦点距離の状態を表す赤色）で表示することができる。さらに、被写体に表示されている『ＳＨＯＲＴ』記号のように、第２発光部１７を通じて現在の焦点状態を可視光線で出力することもできる。
【００２７】
また、図１０に示す通り、ポータブルスキャナが、設定された焦点距離より長い距離で被写体を撮影した場合、被写体に照射された焦点用光線Ｌは、表示領域Ｓの中で設定された関心領域（すなわち、位置判断領域）（図示省略）内の設定された焦点距離の基準線Ｒより右側に位置するようになる。同様に、表示部は、図１０の右側の上段部に表示されている数値「１５６」及び色相ブロック（青色の□）のように、焦点状態判断部によって判断された現在の焦点状態を数値で表示することができ、また、現在の焦点状態を色相ブロック（例えば、長い焦点距離の状態を表す青色）で表示することができる。さらに、被写体に表示されている『ＬＯＮＧ』記号のように、第２発光部１７を通じて現在の焦点状態を可視光線で出力することもできる。
表示部に表示される焦点状態は、予め設定された文字、記号、または互いに異なる色相などの形態で表示されてよい。
これに従い、使用者が表示部を介して現在の焦点状態を確認し、設定された正確な焦点距離で撮影するように誘導することができる。それだけでなく、使用者は、被写体に照射された焦点状態を表す光線を確認し、優先的に概略的な焦点位置を判断することができる。
【００２８】
このような本発明のポータブルスキャナにおいて、第１発光部１１、第２発光部１７及び第３発光部２０は、一つのプロジェクターとして具現されてよい。また、感知部１３及び撮影部３０は、一つのカメラ部として具現されてよい。また、焦点状態判断部１５、制御部４０、表示部５０及び入力部は、一つのデータ処理装置として具現されてよい。さらに、表示部と入力部はタッチパネルで具現されてよい。
また、本発明に係るポータブルスキャナは、図７に示されている通り、支持台６０をさらに含むことができる。支持台６０は、ポータブルスキャナのボディ１００に着脱可能に結合され、ポータブルスキャナを一定の高さで固定させる。支持台６０は、結合されたポータブルスキャナのボディ１００が上下左右に回転できるようにする回転部６５を備えることができる。これに従い、スキャナのボディと支持台が分離できるように製作することができるため、携帯が容易であるという利点がある。
被写体は、かつらの製作のために設定されたパターンが形成され、使用者の頭に被せることができるヘッド網であってよい。これに従い、本発明に係るポータブルスキャナは、かつらの製作のためのスキャナとして利用されてよい。
【００２９】
次に、図５及び図６を利用して、本発明に係る３Ｄスキャニング方法を説明する。図５は、本発明の一実施形態に係る３Ｄスキャニング方法を示すフローチャートである。また、図６は、焦点状態出力部によって焦点状態を判断する過程を説明するためのフローチャートである。
図５に示されている通り、先ず、焦点状態出力部１０が、被写体との設定された焦点距離に対する現在の焦点状態を判断し、使用者が認識できるように表示部５０に出力する（Ｓ１０）。次に、第３発光部２０が、設定された焦点距離で被写体に対してＮ個の設定されたパターン光を照射しながら、撮影部３０を通じてパターン光が照射された被写体を撮影する（Ｓ２０）。ステップＳ１０とステップＳ２０を被写体に対して互いに異なる方向で繰り返して行い、撮影された複数の２次元イメージデータを利用して被写体の３次元イメージデータを生成する（Ｓ３０）。
【００３０】
出力するステップ（Ｓ１０）は、具体的に、図６に示す通りの判断過程を経ることができる。先ず、焦点状態出力部１０の第１発光部１１が、被写体の表面に対して所定の角度で斜めに焦点用光線を照射する（Ｓ１１）。次に、焦点状態出力部１０の感知部１３が被写体に照射された焦点用光線の位置を感知する（Ｓ１３）。次に、焦点状態出力部１０の焦点状態判断部１５が、被写体の関心領域で感知された焦点用光線の位置に従って設定された焦点距離に対する焦点状態を判断する（Ｓ１５）。さらに、判断された焦点状態は、第２発光部１７によって使用者が認識できるよう、被写体に可視光線で出力されてよい。
本発明によれば、焦点状態を表示することで、設定された焦点距離で一定に被写体をスキャニングすることができるので、高い精度を維持することができる。
【００３１】
以上の説明は、本発明の技術思想を例示的に説明したことに過ぎないものであって、本発明の属する技術分野で通常の知識を有する者であれば、本発明の本質的な特性から外れない範囲で、多様な修正及び変形が可能であろう。よって、本発明に開示されている実施形態は、本発明の技術思想を限定するためではなく説明するためのものであり、このような実施形態によって本発明の技術思想の範囲が限定されるものではない。本発明の保護の範囲は、以下の特許請求の範囲によって解釈されなければならず、それと同等な範囲内にある全ての技術思想は、本発明の権利範囲に含まれるものとして解釈されなければならないはずである。
【図１】
2020513538.tif 000003
【図２】
2020513538.tif 000004
【図３】
2020513538.tif 000005
【図４】
2020513538.tif 000006
【図５】
2020513538.tif 000007
【図６】
2020513538.tif 000008
【図７】
2020513538.tif 000009
【図８】
2020513538.tif 000010
【図９】
2020513538.tif 000011
【図１０】
2020513538.tif 000012
【国際調査報告】
2020513538.tif 000013
2020513538.tif 000014
2020513538.tif 000015
2020513538.tif 000016